(57)【要約】【課題】降雨に際し、金属製ブラインドのルーバーの底壁の下面に回り込んでルーバーの取付ボルトと連結枠との接合部位に流れ込むようになる雨水の流れを、取付ボルトの手前において遮断するようにブラインドに付設する水切り装置を、ルーバーの強度を損なうことなく、かつ、水切りが適確に行われるように装設し得るようにする。【解決手段】ルーバー１の基端部に、取付ボルト２の頭部２０を嵌装せしめる横向きのチャンネル状の取付枠部ａを装設し、底壁１１の基端側で、前記取付枠部ａの仕切壁１２の前面に位置する部位に、その底壁１１の基端側を後方の上方に折曲させる折曲壁ｂを形設して、その折曲壁ｂの端部を仕切壁１２の前面でその仕切壁１２の下縁よりも上昇する部位に接続させて、この折曲壁ｂと取付枠部ａの仕切壁１２の下縁側の前面とで、金属製ブラインドにおける水切り装置を構成する。【選択図】図２
0003106181.tif 000002
【実用新案登録請求の範囲】
【請求項１】
金属材で、側面視において横向きの中空の角状に形成するルーバー１の基端部に、そのルーバー１の天壁１０と底壁１１とで形成する内部空間の基端側を縦に仕切る仕切壁１２を設けて、その仕切壁１２と、天壁１０の基端部１０ａ及び底壁１１の基端部１１ａと、それら基端部１０ａ・１１ａの各基端縁から上下方向にそれぞれ屈曲して所定の間隔をおき上下に対向する屈曲壁１３・１４とで、取付ボルト２の頭部２０を嵌装せしめる横向きのチャンネル状の取付枠部ａを装設し、底壁１１の基端側で、前記取付枠部ａの仕切壁１２の前面に位置する部位に、その底壁１１の基端側を後方の上方に折曲させる折曲壁ｂを形設して、その折曲壁ｂの端部を仕切壁１２の前面でその仕切壁１２の下縁よりも上昇する部位に接続させて、この折曲壁ｂと取付枠部ａの仕切壁１２の下縁側の前面とで、ルーバー１の底壁１１の下面に回り込み、その下面を伝って取付ボルト２と連結枠３との接続部に流れる雨水の流れを取付ボルト２の手前で遮断し、仕切壁１２の前面を伝わせてルーバー１の下方に流下させるようにしたことを特徴とする金属製ブラインドにおける水切り装置。
【考案の詳細な説明】
【技術分野】
【０００１】
本考案は、アルミ合金等の金属材の押出し成形により形成するルーバーを並列させて枠材に組付けて面格子状に組立て、建物の外面側に設置する屋外設置用のブラインドにおいて、それのルーバーに装設する水切り装置に関する。
【背景技術】
【０００２】
金属材の押出し成形により形成するルーバーを枠材に並列させて組付けることで組立てる屋外設置用の金属製ブラインドは、オフィスビル外装部の窓の目隠し、マンションのテラス部の目隠しなどに広く使用されている。
【０００３】
この屋外設置用の金属製ブラインドは、多連に並列させるルーバーのそれぞれを、そのルーバーの基端側に形設してある取付部に、取付ボルトを取付けて、この取付ボルトにより、通常、連結枠として鋼材で断面アングル状に形成される枠材に、組付け連結することで面格子状に組み立てられ、連結枠である枠材を、建物躯体の外面側に装設する組付枠に、ボルト締め等の手段で連結することで建物躯体の外面に設置される。
【０００４】
そして、ルーバーは、側断面において、下方に彎曲した中空の角状に形成される。このことから、雨天の際、先端側に向けて下降彎曲するルーバーの上壁の上面に降り注ぐ雨滴が、その上壁の上面を伝って流下して先端に達したときに、ルーバーの先端から底壁の下面に回り込んで、基端側の取付部に向けて流れ、その取付部に嵌装している取付ボルトと連結枠との接合部位に集まり、そこから連結枠の表面を伝って流下するようになり、取付ボルトと連結枠との接続部位および連結枠が、雨樋の役割を果たすようになって、この接続部位の腐蝕を早める問題がある。
【０００５】
このため、ルーバーの天壁の上面から底壁の下面に回り込み、その下面を伝ってルーバーの基端部の取付ボルトと連結枠との接合部位に流れ、そこから、連結枠の外面に沿い流下していくようになる雨水の流れを、取付ボルトの手前において遮断する水切り手段の付設が望まれ、このことから、ルーバーの天壁の先端側を、底壁との合流部よりも延長させて庇状に突出させ、この天壁の延長壁により水切りを行わせるようにしているが効果はそれ程なく、しかも、取り扱いの際に、この庇状に突出する延長壁が、破損、変形を受け易い別の問題を生ぜしめている。
【考案の開示】
【考案が解決しようとする課題】
【０００６】
本考案において解決しようとする課題は、降雨に際し、金属製ブラインドのルーバーの底壁の下面に回り込んでルーバーの取付ボルトと連結枠との接合部位に流れ込むようになる雨水の流れを、取付ボルトの手前において遮断するようにブラインドに付設する水切り装置を、ルーバーの強度を損なうことなく、かつ、水切りが適確に行われるように装設し得るようにする点にある。
【課題を解決するための手段】
【０００７】
本考案による屋外設置用の金属製ブラインドにおける水切り手段は、図１にあるように、ルーバー１の基端側に、そのルーバー１の天壁１０と底壁１１とで形成する内部空間の基端側を縦に仕切る仕切壁１２と、天壁１０及び底壁１１の各基端部１０ａ・１１ａと、それら基端部１０ａ・１１ａの各基端から上下方向に屈曲して開裂状に上下に対向する屈曲壁１３・１４とで、取付ボルト２の頭部２０を嵌装せしめる横向きのチャンネル状の取付枠部ａが設けてあるルーバー１において、ルーバー１の底壁１１の基端側で取付枠部ａの仕切壁１２の前面側に位置する部位に、その底壁１１を後方上方に折曲させる折曲壁ｂを形成して、その折曲壁ｂの端部を、取付枠部ａの仕切壁１２の前面でその仕切壁１２の下縁よりも上昇する部位に接続させ、この折曲壁ｂと取付枠部ａの仕切壁１２の前面とで、ルーバー１の底壁１１の下面に回り込んで、その下面を伝い取付ボルト２と連結枠３との接続部に向けて流れる雨水の流れを取付ボルト２の手前で遮断して、仕切壁１２の前面を伝わせてルーバー１の下方に流下していくようにすることを特徴とするものである。
【考案の効果】
【０００８】
この本考案による屋外用の金属製ブラインドの水切り装置は、ルーバーの上面に降り注ぐ雨水が、ルーバーの底壁の下面に回り込み、その底壁の下面を伝って、ルーバーの取付ボルトに向けて流れる流れを阻止するのに、ルーバーの基端側に形成してある取付枠部を利用して、その取付枠部の仕切壁の前面で雨水の流れを遮断し、下方に落下していくようにしていることから、水切りが適確に行われるようになる。また、その水切りが、ルーバーの外面から嵌入した形態で行われることで、取り扱いの際に損傷を受けることもないようになる。
【考案を実施するための最良の形態】
【０００９】
本考案手段においては、屋外用の金属製ブラインドのルーバーに付設する水切り手段を、ルーバーの基端側に設けられている側断面において横向きのチャンネル状に形設してある取付枠部を利用して、ルーバーの底壁の基端側に設けるようにすることから、ルーバーの先端側に天壁の先端を延長して庇状に形成する水切りは無い方が望ましいが、この庇状の水切りを付け加えるようにしても支障はない。
【実施例１】
【００１０】
次に実施の１例を図面に従い説明する。
図１は本考案による屋外用の金属製ブラインドに用いられるルーバー１の側面図、図２は同上ルーバー１の下面側から見た斜視図、図３は同上ルーバー１の後面側から見た斜視図、図４は同上ルーバー１を取付ボルト２により連結枠３に取付けた状態における側面図、図５は同上ルーバー１の連結枠３への取付けで面格子状に組立てた金属製ブラインドの後面図、図６は同上のブラインドの後面側から見た斜視図である。
【００１１】
ルーバー１は、アルミ材等の軽合金の押出し成形により、図１に示す断面形状をもって長手方向に所望の長さに連続するように形成してある。
【００１２】
その形状は、この例におけるルーバー１にあっては、略８０ミリ程度の前後巾として、上向きの弧状に彎曲させた上面側の天壁１０と、この天壁１０と略同じ前後巾として同様に弧状に彎曲させた下面側の底壁１１とが、前端側（図１において左端側）において合流するように接続し、後端側（図１において右端側）においては、天壁１０と底壁１１とが略３７ミリの間隔をおいて上下に対向し、かつ、この天壁１０と底壁１１の各基端縁である後端縁に、天壁１０にあっては下方に垂下し、底壁１１にあっては、上向きに立ち上がる屈曲壁１３・１４が、それら屈曲壁１３・１４の突き合わせ部に、略２０ミリの開裂状の開放口ｃを取付ボルト２の頭部２０の取付口を形成するように形設し、この屈曲壁１３・１４と前述の天壁１０および底壁１１とで囲われる該ルーバー１の内部空間で、前述の屈曲壁１３・１４から前方（図１において左方）に略１８ミリ程度の間隔をおいた部位に、前記内部空間を前後に仕切る縦方向の仕切壁１２を設けて、この仕切壁１２と天壁１０および底壁１１の各基端側と屈曲壁１３・１４とで、側面視において横向きのチャンネル状の取付枠部ａを形成した形状に成形してある。
【００１３】
また、内部空間の内側で、天壁１０と底壁１１との前端側における接合部および仕切壁１２の前面側には、押出し成形したルーバー１の左右のこぐちに蓋板（図示省略）をビスにより取り付けるときに、そのビスを螺じ込んでいくビスホールとする側面視で馬蹄形状の突条１５・１６が形成してある。
【００１４】
そして、ルーバー１の天壁１０の上面に降り注いでその上面を流下して底壁１１の下面に回り込み、その下面を伝ってルーバー１の基端側（後端側）の取付ボルト２による連結枠３との取付部に向けて流れる雨水の流れを、遮断する水切り装置ｗは、ルーバー１の底壁１１の、ルーバー１の基端側に形成される横向きのチャンネル状の取付枠部ａの仕切壁１２の直前に位置する部位を、図１にあるように、後方に向け斜め上向きに傾斜するよう上方に折曲する折曲壁ｂに形成して、この折曲壁ｂの後端縁が、前述の取付枠部ａの前壁となる仕切壁１２の、下縁よりも上方の前面に接続するようにして、これにより、ルーバー１の底壁１１の基端側に寄る部位に、その底壁１１の下面を伝って取付ボルト２による取付部に向けて流れを遮断する水切り手段が、取付枠部ａの仕切壁１２の前面の下部１２ａと、底壁１１の前後の途中で取付枠部ａの手前の部位に形成した上向きの折曲壁ｂとで構成されるようにしている。
【００１５】
この水切り装置ｗは、底壁１１の下面を伝って基端側に流れる雨水の流れが、折曲壁ｂまできたときに、それを伝って上昇して、取付枠部ａの仕切壁１２の前面に移り、その仕切壁１２の前面を伝って降下し、仕切壁１２の前面の下部１２ａにおいて下方に落下していくようになることから、水切りの作用が適確になる。
【００１６】
そして、その構造は、ルーバー１の外面に突出する部分がないことで、取り扱いの際に損傷を受けることがなく、かつ、取付枠部ａをそのまま利用することで、構造的にも強固なものとなり、ルーバー１の強度を損なうこともないものとなる。
【実施例２】
【００１７】
次に、図７・図８は、別の実施例を示している。
この例は、上述の実施例１のものに、天壁１０と底壁１１との前端側における接合部位に、天壁１０の前端縁を延長して、庇状に突出する突出壁１７を形成し、天壁１０の上面を流れて底壁１１の下面に回り込む雨水の流れを、この突出壁１７によって補助的に阻止するようにしたものであり、この点を除いたその余の構造は、前述の実施例１と変わりがなく、同じ構成部材に同一の符号を付して、その説明は省略する。
【図面の簡単な説明】
【００１８】
【図１】本考案による屋外用の金属製ブラインドに用いる軽金属製のルーバーの側面図である。
【図２】同上ルーバーの下面側から見た斜視図である。
【図３】同上ルーバーの後面側から見た斜視図である。
【図４】同上ルーバーを取付ボルトにより連結枠に取付けた状態の側面図である。
【図５】同上ルーバーの連結枠への取付けで面格子状に組立てた金属製ブラインドの後面図である。
【図６】同上の金属製ブラインドの後面側から見た斜視図である。
【図７】別の実施例のルーバーの側面図である。
【図８】同上のルーバーの下面側から見た斜視図である。
【符号の説明】
【００１９】
ａ…取付枠部、ｂ…折曲壁、ｃ…開放口、ｗ…水切り装置、１…ルーバー、２…取付ボルト、３…連結枠、１０…天壁、１０ａ…天壁の基端部、１１…底壁、１１ａ…底壁の基端部、１２…仕切壁、１２ａ…下部、１３・１４…屈曲壁、１５・１６…突条、１７…突出壁、２０…頭部。
【図１】
0003106181.tif 000003
【図２】
0003106181.tif 000004
【図３】
0003106181.tif 000005
【図４】
0003106181.tif 000006
【図５】
0003106181.tif 000007
【図６】
0003106181.tif 000008
【図７】
0003106181.tif 000009
【図８】
0003106181.tif 000010